【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示する可変表示部を備え、前記可変表示部における識別情報の表示結果があらかじめ定められた特定表示結果となったときに、遊技者にとって有利な特定遊技状態に制御する遊技機であって、
前記特定表示結果とするか否かを、識別情報の表示結果が導出表示される以前に決定する事前決定手段と、
前記事前決定手段の決定結果にもとづいて、所定の予告演出を決定する予告演出決定手段と、
前記予告演出決定手段により決定された前記予告演出を行う予告演出実行手段と、
識別情報の可変表示状態を所定のリーチ状態とした後に表示結果を導出表示する手段であって、該リーチ状態とされたときはされなかったときよりも高い割合で前記特定表示結果となるように、該リーチ状態とするリーチ変動実行手段とを備え、
前記予告演出決定手段は、
予め定められた順番に従って１段階目の演出から複数段階目の演出まで複数の演出を段階的に行う予告演出であって、前記特定表示結果とする場合は該特定表示結果としない場合よりも高い割合で最終段階目の演出まで演出が行われるステップアップ予告演出を決定するステップアップ予告演出決定手段と、
前記ステップアップ予告演出決定手段で前記ステップアップ予告演出を決定したか否かに関わらず前記ステップアップ予告演出で行う前記複数の演出とは異なる演出により前記特定表示結果となる可能性があることを報知する他系統予告演出を決定する他系統予告演出決定手段とを含み、
前記予告演出決定手段は、前記ステップアップ予告演出として、該ステップアップ予告演出における複数の演出の態様が第１の態様である第１ステップアップ予告演出と、該ステップアップ予告演出における複数の演出の態様が前記第１の態様と異なる第２の態様である第２ステップアップ予告演出とを決定可能であり、
前記ステップアップ予告演出において、所定段階目の演出まで演出が段階的に行われたときは、前記リーチ変動実行手段により識別情報の可変表示状態がリーチ状態とされ、
前記予告演出実行手段は、
前記予告演出決定手段により前記第１ステップアップ予告演出が決定され、かつ前記第２ステップアップ予告演出が決定されたときに、該第１ステップアップ予告演出と該第２ステップアップ予告演出とを可変表示中の同一期間に同時に実行可能であり、
前記所定段階目の演出が行われ得る期間に前記他系統予告演出を行い、
更に、前記ステップアップ予告演出決定手段において前記所定段階目以上の演出まで行うことに決定したときよりも、前記所定段階目未満の演出まで行うことに決定したときのほうが前記他系統予告演出を高い割合で行う
ことを特徴とする遊技機。
【手続補正２】
【補正対象書類名】明細書
【補正対象項目名】００１０
【補正方法】変更
【補正の内容】
【００１０】
本発明による遊技機は、各々を識別可能な複数種類の識別情報（例えば、第１特別図柄、第２特別図柄、演出図柄）を可変表示する可変表示部（第１特別図柄表示器８ａ、第２特別図柄表示器８ｂ、演出表示装置９）を備え、可変表示部における識別情報の表示結果があらかじめ定められた特定表示結果（例えば、大当り図柄）となったときに、遊技者にとって有利な特定遊技状態（例えば、大当り遊技状態）に制御する遊技機であって、特定表示結果とするか否かを、識別情報の表示結果が導出表示される以前に決定する事前決定手段（例えば、遊技制御用マイクロコンピュータ５６０におけるステップＳ６１の処理を実行する部分）と、事前決定手段の決定結果にもとづいて、所定の予告演出を決定する予告演出決定手段と、予告演出決定手段により決定された予告演出を行う予告演出実行手段（例えば、演出制御用マイクロコンピュータ１００におけるステップＳ８４６〜Ｓ８５５の処理を実行する部分）と、識別情報の可変表示状態を所定のリーチ状態とした後に表示結果を導出表示する手段であって、該リーチ状態とされたときはされなかったときよりも高い割合で特定表示結果となるように、該リーチ状態とするリーチ変動実行手段とを備え、予告演出決定手段は、予め定められた順番に従って１段階目の演出から複数段階目の演出まで複数の演出を段階的に行う予告演出（例えば、予告演出Ａ，Ｂ，Ｃ，Ｄ，Ｅ，ｅ）であって、特定表示結果とする場合は該特定表示結果としない場合よりも高い割合で最終段階目の演出まで演出が行われるステップアップ予告演出（例えば、第１ステップアップ予告演出）を決定するステップアップ予告演出決定手段と、ステップアップ予告演出決定手段でステップアップ予告演出を決定したか否かに関わらずステップアップ予告演出で行う複数の演出とは異なる演出により特定表示結果となる可能性があることを報知する他系統予告演出（例えば他系統液晶予告演出：なお、他系統予告演出は特定のステップアップ予告演出（例えば第１ステップアップ予告演出）と別系統の演出であればよく、他系統液晶予告演出に限られない。）を決定する他系統予告演出決定手段とを含み、予告演出決定手段は、ステップアップ予告演出として、該ステップアップ予告演出における複数の演出の態様が第１の態様である第１ステップアップ予告演出と、該ステップアップ予告演出における複数の演出の態様が第１の態様と異なる第２の態様である第２ステップアップ予告演出とを決定可能であり、ステップアップ予告演出において、所定段階目の演出まで演出が段階的に行われたときは、リーチ変動実行手段により識別情報の可変表示状態がリーチ状態とされ（例えば、図６７に示すように、非リーチはずれのときの第１予告設定テーブルにおける「Ａ→Ｂ→Ｃ」「Ａ→Ｂ→Ｃ→Ｄ」「Ａ→Ｂ→Ｃ→Ｄ→Ｅ」「Ａ→Ｂ→Ｃ→Ｄ→ｅ」に対して判定値が割り振られていない。）、予告演出実行手段は、予告演出決定手段により第１ステップアップ予告演出が決定され、かつ第２ステップアップ予告演出が決定されたときに、該第１ステップアップ予告演出と該第２ステップアップ予告演出とを可変表示中の同一期間に同時に実行可能であり、所定段階目の演出が行われ得る期間に他系統予告演出を行い（例えば、図７７に示すように、第１ステップアップ予告演出において予告演出Ｃが実行されず、その代わりに他系統液晶予告演出が実行される。具体例として、図９６および図９７に示すように、予告演出Ｂから予告演出Ｃへの変化タイミングに到達したにもかかわらず次の予告演出Ｃが実行されなかった場合（図９６（５−４））、その変化タイミング以降に他系統液晶予告演出を実行する（図９７（５−５）または（５−６）。）、更に、ステップアップ予告演出決定手段において所定段階目以上の演出まで行うことに決定したときよりも、所定段階目未満の演出まで行うことに決定したときのほうが他系統予告演出を高い割合で行うことを特徴とする。
【手続補正３】
【補正対象書類名】明細書
【補正対象項目名】００１１
【補正方法】変更
【補正の内容】
【００１１】
請求項１記載の発明では、事前決定手段の決定結果にもとづいて、所定の予告演出を決定する予告演出決定手段と、予告演出決定手段により決定された予告演出を行う予告演出実行手段と、識別情報の可変表示状態を所定のリーチ状態とした後に表示結果を導出表示する手段であって、該リーチ状態とされたときはされなかったときよりも高い割合で特定表示結果となるように、該リーチ状態とするリーチ変動実行手段とを備え、予告演出決定手段は、予め定められた順番に従って１段階目の演出から複数段階目の演出までの複数の演出を段階的に行う予告演出であって、特定表示結果とする場合は該特定表示結果としない場合よりも高い割合で最終段階目の演出まで演出が行われるステップアップ予告演出を決定するステップアップ予告演出決定手段と、ステップアップ予告演出決定手段でステップアップ予告演出を決定したか否かに関わらずステップアップ予告演出で行う複数の演出とは異なる演出により特定表示結果となる可能性があることを報知する他系統予告演出を決定する他系統予告演出決定手段とを含み、ステップアップ予告演出において、所定段階目の演出まで演出が段階的に行われたときは、リーチ変動実行手段により識別情報の可変表示状態がリーチ状態とされ、所定段階目の演出が行われ得る期間に他系統予告演出を行い、更に、ステップアップ予告演出決定手段において所定段階目以上の演出まで行うことに決定したときよりも、所定段階目未満の演出まで行うことに決定したときのほうが他系統予告演出を高い割合で行うように構成されている。このような構成によれば、ステップアップ予告演出における所定段階目の演出まで演出が実行されるとリーチ状態となることが確定するため、ステップアップ予告演出が一旦終了したように見せかけた後に他系統予告演出が実行されて、遊技者のリーチ状態の発生に対する期待を再度抱かせることができ、より一層興趣の向上を図ることができる。